(57)【要約】このヘアスタイリングアプライアンス（２）は、離間して配置された構成と閉構成との間で枢動可能に取り付けられている第１のアーム（５）および第２のアーム（６）と；第１のアーム（５）の上に取り付けられており、気化されることになる流体を含むように意図されているリザーバ（１３）と；第１のアーム（５）の上に取り付けられており、蒸気を発生させるように構成されている気化デバイス（１９）と；リザーバ（１３）に取り付けられており、リザーバ（１３）の中に含まれている流体を気化デバイス（１９）へ搬送するように構成されている流体搬送エレメント（１８）とを含む。リザーバ（１３）は、気化位置と非動作位置との間で移動可能に取り付けられており、気化位置では、気化デバイス（１９）は、流体搬送エレメント（１８）によって搬送される流体を気化させるように構成されている。ヘアスタイリングアプライアンス（２）は、作動エレメント（２５）を含み、作動エレメント（２５）は、第２のアーム（６）の上に取り付けられており、第１のアーム（５）および第２のアーム（６）が離間して配置された構成から閉構成へ移動されるときに、非動作位置から気化位置へリザーバ（１３）を移動させるように構成されている。
2019524222.tif 000002
【特許請求の範囲】
【請求項１】
ヘアスタイリングアプライアンス（２）であって、少なくとも、
それぞれ第１の接触表面（７）および第２の接触表面（８）を含む第１のアーム（５）および第２のアーム（６）であって、開構成と閉構成との間で、互いに対して関節式に移動されるように取り付けられており、前記開構成では、前記第１の接触表面（７）および前記第２の接触表面（８）が、互いに離間して配置されており、一房の髪が、前記第１の接触表面（７）と前記第２の接触表面（８）との間に導入されることができ、前記閉構成では、前記第１の接触表面（７）および前記第２の接触表面（８）が、互いに近くにあり、一房の髪を挟むことができる、第１のアーム（５）および第２のアーム（６）と、
前記第１のアーム（５）の上に取り付けられており、気化されることになる流体を含むことが意図されているリザーバ（１３）と、
前記第１のアーム（５）の上に取り付けられており、蒸気を作り出すように構成されている気化デバイス（１９）と、
前記リザーバ（１３）に固定されており、前記リザーバ（１３）の中に含まれている前記流体を前記気化デバイス（１９）に向けて搬送するように構成されている流体コンベヤエレメント（１８）と
を含み、
前記リザーバ（１３）は、それがレスト位置と気化位置との間で移動することができるように取り付けられており、前記レスト位置では、前記流体コンベヤエレメント（１８）が、前記気化デバイス（１９）から離れており、前記気化位置では、前記流体コンベヤエレメント（１８）が、前記気化デバイス（１９）の近くにあり、前記気化デバイス（１９）が、前記流体コンベヤエレメント（１８）によって搬送される前記流体を気化させるように構成されており、前記ヘアスタイリングアプライアンス（２）は、作動エレメント（２５）をさらに含み、前記作動エレメント（２５）は、前記第１のアーム（５）および前記第２のアーム（６）が前記開構成から前記閉構成へ移動されるときに、前記レスト位置から前記気化位置へ前記リザーバ（１３）を移動させるように構成されていることを特徴とする、ヘアスタイリングアプライアンス（２）。
【請求項２】
前記作動エレメント（２５）は、カム表面（２６）を含み、前記カム表面（２６）は、前記リザーバ（１３）と協働するように構成されている請求項１に記載のヘアスタイリングアプライアンス（２）。
【請求項３】
前記カム表面（２６）は、連続的な湾曲したプロファイルを有している請求項２に記載のヘアスタイリングアプライアンス（２）。
【請求項４】
前記カム表面（２６）は、一連のカム表面部分を含み、前記カム表面部分は、異なる曲げ半径を有している請求項３に記載のヘアスタイリングアプライアンス（２）。
【請求項５】
前記カム表面（２６）は、円形のインボリュートである請求項２乃至４のいずれか一項に記載のヘアスタイリングアプライアンス（２）。
【請求項６】
前記作動エレメント（２５）は、それが枢動軸線（Ａ）周りで枢動することができるように取り付けられており、前記ヘアスタイリングアプライアンス（２）は、付勢エレメント（２７）をさらに含み、前記付勢エレメント（２７）は、前記作動エレメント（２５）を作動位置に向けて付勢するように構成されており、前記作動位置では、前記作動エレメント（２５）が、前記リザーバ（１３）に押し込み力を働かせることができる請求項１乃至５のいずれか一項に記載のヘアスタイリングアプライアンス（２）。
【請求項７】
前記流体コンベヤエレメント（１８）は、吸い上げ芯である請求項１乃至６のいずれか一項に記載のヘアスタイリングアプライアンス（２）。
【請求項８】
前記リザーバ（１３）は、前記第１のアーム（５）の上に取外し可能に位置決めされている請求項１乃至７のいずれか一項に記載のヘアスタイリングアプライアンス（２）。
【請求項９】
前記第１のアーム（５）は、ハウジング（１５）と、貫通開口部（１６）と、クロージャエレメント（１７）とを含み、前記リザーバ（１３）は、前記ハウジング（１５）の中に取り付けられており、前記貫通開口部（１６）は、前記ハウジング（１５）につながっており、前記リザーバ（１３）の通過を意図されており、前記クロージャエレメント（１７）は、それが開位置と閉位置との間で前記第１のアーム（５）の上を移動することができるように取り付けられており、前記開位置では、前記クロージャエレメント（１７）は、前記貫通開口部（１６）を少なくとも部分的に解放し、前記リザーバ（１３）が前記ハウジング（１５）から除去されるかまたは前記ハウジング（１５）の中に取り付けられることを可能にし、前記閉位置では、前記クロージャエレメント（１７）は、前記貫通開口部（１６）を少なくとも部分的に閉じ、前記リザーバ（１３）が前記ハウジング（１５）から除去されるかまたは前記ハウジング（１５）の中に取り付けられることを防止する請求項８に記載のヘアスタイリングアプライアンス（２）。
【請求項１０】
前記ヘアスタイリングアプライアンス（２）は、少なくとも１つのリターンエレメント（２４）を含み、前記少なくとも１つのリターンエレメント（２４）は、前記リザーバ（１３）を前記レスト位置へ戻すように構成されている請求項１乃至９のいずれか一項に記載のヘアスタイリングアプライアンス（２）。
【請求項１１】
前記第１のアーム（５）および前記第２のアーム（６）のうちの少なくとも１つは、加熱プレート（１１、１２）を含む請求項１乃至１０のいずれか一項に記載のヘアスタイリングアプライアンス（２）。
【請求項１２】
前記リザーバ（１３）は、細長くなっており、前記気化デバイス（１９）側に位置している第１の末端部分と、前記第１の末端部分の反対側にある第２の末端部分とを含み、前記作動エレメント（２５）は、前記リザーバ（１３）の前記第２の末端部分と協働するように構成されている請求項１乃至１１のいずれか一項に記載のヘアスタイリングアプライアンス（２）。
【請求項１３】
前記ヘアスタイリングアプライアンス（２）は、蒸気拡散デバイス（２８）をさらに含み、前記蒸気拡散デバイス（２８）は、前記気化デバイス（１９）によって作り出される前記蒸気を、前記ヘアスタイリングアプライアンスの外部に向けて拡散させるように構成されている請求項１乃至１２のいずれか一項に記載のヘアスタイリングアプライアンス（２）。
【請求項１４】
前記作動エレメント（２５）は、前記第２のアーム（６）の上に取り付けられている、請求項１乃至１３のいずれか一項に記載のヘアスタイリングアプライアンス（２）。
【発明の詳細な説明】
【技術分野】
【０００１】
本発明は、ヘアスタイリングアプライアンスに関し、より具体的には、気化によって髪をトリートメントし、それを形状決めするように意図されているポータブル蒸気ヘアスタイリングアプライアンスに関する。髪にスチーミングを行うことに加えて、ヘアスタイリングアプライアンスは、一般的に、髪を加熱し、それを形状するように構成されている。
【背景技術】
【０００２】
特許文献１は、ヘアスタイリングアプライアンスを開示しており、ヘアスタイリングアプライアンスは、とりわけ、
−  それぞれ第１の接触表面および第２の接触表面を含む第１のアームおよび第２のアームであって、開位置と閉構成との間で、互いに対して関節式に移動されるように取り付けられており、開位置では、第１の接触表面および第２の接触表面が、互いに離間して配置されており、一房の髪が、第１の接触表面と第２の接触表面との間に導入されることができ、閉構成では、第１の接触表面および第２の接触表面が、互いに近くにあり、一房の髪を挟むことができる、第１のアームおよび第２のアームと、
−  第１のアームの上に取り付けられているリザーバであって、気化されることになる流体を含むことが意図されているリザーバと、
−  第１のアームの上に取り付けられており、蒸気を作り出すように構成されている気化デバイスと、
−  リザーバに固定されており、リザーバの中に含まれる流体を気化デバイスに向けて搬送するように構成されている流体コンベヤエレメントと、
−  気化デバイスによって作り出される蒸気を、ヘアスタイリングアプライアンスの外部に向けて、および、第１の接触表面の近くに拡散させるように構成されている蒸気拡散デバイスと
を含む。
【０００３】
公知の様式では、気化デバイスは、第１および第２のアームをそれらの閉構成に向けて移動させることによって活性化される。したがって、そのようなヘアスタイリングアプライアンスは、とりわけ、検出エレメント、たとえば、リードスイッチ磁気センサまたは磁気抵抗センサ（ＭＲＳ）など、ならびに、制御ユニットをさらに含み、検出エレメントは、第１および第２のアームの閉構成を検出するように構成されており、制御ユニットは、検出エレメントが第１および第２のアームの閉構成を検出するときに、気化デバイスの活性化を制御するように構成されており、より具体的には、気化デバイスに所属する加熱エレメントの活性化を制御するように構成されている。
【０００４】
しかし、ヘアスタイリングアプライアンスのそのような構成は、満足のいく蒸気流を保証するために、流体コンベヤエレメントおよび気化デバイスの複雑で正確な定義を必要とし、そのようなヘアスタイリングアプライアンスを製造するコストを増加させる。それに加えて、ヘアスタイリングアプライアンスのそのような構成は、気化デバイスの気化チャンバの中の流体の蓄積を引き起こす可能性があり、したがって、ヘアスタイリングアプライアンスの機能性または完全性までも害する可能性がある。
【先行技術文献】
【特許文献】
【０００５】
【特許文献１】米国特許第７４７８６４０号明細書
【発明の概要】
【発明が解決しようとする課題】
【０００６】
本発明は、これらの不利益を是正することを目的とする。
【課題を解決するための手段】
【０００７】
したがって、本発明の基礎における技術的な問題は、とりわけ、満足のいく蒸気流を保証しながら、簡単で信頼性の高い経済的な構造を有するヘアスタイリングアプライアンスを提供することから構成されている。
【０００８】
この目的のために、本発明は、ヘアスタイリングアプライアンスに関し、ヘアスタイリングアプライアンスは、少なくとも、
−  それぞれ第１の接触表面および第２の接触表面を含む第１のアームおよび第２のアームであって、開構成と閉構成との間で、互いに対して関節式に移動されるように取り付けられており、開構成では、第１の接触表面および第２の接触表面が、互いに離間して配置されており、一房の髪が、第１の接触表面と第２の接触表面との間に導入されることができ、閉構成では、第１の接触表面および第２の接触表面が、互いに近くにあり、一房の髪を挟むことができる、第１のアームおよび第２のアームと、
−  第１のアームの上に取り付けられており、気化されることになる流体を含むことが意図されているリザーバと、
−  第１のアームの上に取り付けられており、蒸気を作り出すように構成されている気化デバイスと、
−  リザーバに固定されており、リザーバの中に含まれている流体を気化デバイスに向けて搬送するように構成されている流体コンベヤエレメントと
を含み、
リザーバは、それがレスト位置と気化位置との間で移動することができるように取り付けられており、レスト位置では、流体コンベヤエレメントが、気化デバイスから離れており、気化位置では、流体コンベヤエレメントが、気化デバイスの近くにあり、気化デバイスが、流体コンベヤエレメントによって搬送される流体を気化させるように構成されており、ヘアスタイリングアプライアンスは、作動エレメントをさらに含み、作動エレメントは、第１のアームおよび第２のアームが開構成から閉構成へ移動されるときに、レスト位置から気化位置へリザーバを移動させるように構成されていることを特徴とする。
【０００９】
したがって、本発明は、第１および第２のアームがそれらの開構成からそれらの閉構成に向けて移動するときに、そのレスト位置からその気化位置へリザーバを自動的に移動させることを著しく可能にする。
【００１０】
ヘアスタイリングアプライアンスのそのような構成は、第１および第２のアームが開構成にあるときに、気化デバイスから流体コンベヤエレメントを分離することを可能にし、したがって、とりわけ、気化デバイスの気化チャンバの中の流体の蓄積を回避する。
【００１１】
それに加えて、ヘアスタイリングアプライアンスのそのような構成、および、とりわけ、作動エレメントのそのような構成は、ユーザによる特定のアクションを必要とすることなく、リザーバをその気化位置に向けて移動させることが容易であることを保証する。換言すれば、リザーバの移動は、したがって、自動的に実施される。
【００１２】
このように、本発明によるヘアスタイリングアプライアンスは、同じ程度に使用しやすいままであるのに、先行技術からのヘアスタイリングアプライアンスよりも信頼性が高い。
【００１３】
ヘアスタイリングアプライアンスは、単独でまたは組み合わせて、以下の特性のうちの１つまたは複数を有することが可能である。
【００１４】
本発明の１つの実施形態によれば、リザーバの中に含まれることが意図されている気化されることになる流体は、水または水溶性の化粧品、たとえば、水の中で希釈された化粧品などである。
【００１５】
本発明の１つの実施形態によれば、作動エレメントは、第２のアームの上に取り付けられている。
【００１６】
本発明の１つの実施形態によれば、作動エレメントは、カム表面を含み、カム表面は、リザーバと協働するように構成されている。
【００１７】
本発明の１つの実施形態によれば、カム表面は、連続的な湾曲したプロファイルを有している。カム表面のそのような構成は、とりわけ、作動エレメントがより一定の力をリザーバに印加することを可能にし、したがって、ヘアスタイリングアプライアンスの性能を改善する。
【００１８】
本発明の１つの実施形態によれば、カム表面は、一連のカム表面部分を含み、カム表面部分は、異なる曲げ半径を有している。流体コンベヤエレメントの摩耗の場合には、カム表面のそのような構成は、第１および第２のアームが閉構成に向けて移動するときに、その気化位置に向けてのリザーバの移動経路を増加させることを可能にし、したがって、第１および第２のアームが閉構成にあるときに、気化デバイスによって流体コンベヤエレメントに加えられる実質的に一定の圧力を維持する。したがって、これらの装備は、長期間にわたって実質的に一定の蒸気流を維持することを可能にし、したがって、流体コンベヤエレメントの摩耗にもかかわらず、ヘアスタイリングアプライアンスの性能レベルを維持することを可能にする。
【００１９】
本発明の１つの実施形態によれば、カム表面は、それぞれのカム表面部分が、それに先行するカム表面部分の曲げ半径よりも大きい曲げ半径を有するように構成されている。
【００２０】
本発明の１つの実施形態によれば、カム表面は、円形のインボリュートである。
【００２１】
本発明の１つの実施形態によれば、作動エレメントは、それが、たとえば、第１のアームの上で、枢動軸線周りで枢動することができるように取り付けられており、ヘアスタイリングアプライアンスは、付勢エレメントをさらに含み、付勢エレメントは、作動エレメントを作動位置に向けて付勢するように構成されており、作動位置では、作動エレメントが、リザーバに押し込み力を働かせることができる。これらの装備は、とりわけ、第１および第２のアームの製造公差、リザーバの製造公差、流体コンベヤエレメントの製造公差、および、作動エレメントの製造公差にもかかわらず（それらは、流体コンベヤエレメントと気化デバイスとの間の満足のいく協働を害する可能性がある）、最適な蒸気流を保証し、したがって、ヘアスタイリングアプライアンスの最適な性能レベルを保証する。また、これらの装備は、ユーザによって第１および第２のアームに加えられる支持力に依存しないことを可能にし、したがって、第１および第２のアームに対するユーザの労力にかかわらず、実質的に一定の流れを保証する。
【００２２】
本発明の１つの実施形態によれば、カム表面は、楕円体の表面部分から少なくとも部分的に形成されている。
【００２３】
本発明の１つの実施形態によれば、流体コンベヤエレメントは、リザーバが気化位置にあるときに、気化デバイスと接触しているように構成されている。
【００２４】
本発明の１つの実施形態によれば、気化デバイスは、気化表面を含む。有利には、流体コンベヤエレメントは、リザーバが気化位置にあるときに、気化表面と接触しているように構成されている。
【００２５】
本発明の１つの実施形態によれば、流体コンベヤエレメントは、吸い上げ芯である。
【００２６】
本発明の１つの実施形態によれば、流体コンベヤエレメントは、吸収性材料のものである。
【００２７】
本発明の１つの実施形態によれば、流体コンベヤエレメントは、不織繊維のものである。
【００２８】
流体コンベヤエレメントは、たとえば、ポリエチレンテレフタレートから、ポリエチレンから、または、ポリエチレンテレフタレートおよびポリエチレンの混合物から作製され得る。
【００２９】
本発明の１つの実施形態によれば、流体コンベヤエレメントは、第１の部分および第２の部分を含み、第１の部分は、リザーバの中へ延在しており、リザーバの中に含まれている気化されることになる流体と接触していることが意図されており、第２の部分は、リザーバの外部へ延在している。
【００３０】
本発明の１つの実施形態によれば、リザーバは、出口開口部を含み、流体コンベヤエレメントは、出口開口部を通って延在している。
【００３１】
本発明の１つの実施形態によれば、流体コンベヤエレメントは、リザーバの出口開口部に固定されている。本発明の１つの実施形態によれば、リザーバは、第１のアームの上に取外し可能に取り付けられている。
【００３２】
本発明の１つの実施形態によれば、第１のアームは、ハウジングと、貫通開口部と、クロージャエレメントとを含み、リザーバは、ハウジングの中に取り付けられており、貫通開口部は、ハウジングにつながっており、リザーバの通過を意図されており、クロージャエレメントは、それが開位置と閉位置との間で第１のアームの上を移動すること、および、たとえば、枢動することができるように取り付けられており、開位置では、クロージャエレメントは、貫通開口部を少なくとも部分的に解放し、リザーバがハウジングから除去されるかまたはハウジングの中に取り付けられることを可能にし、閉位置では、クロージャエレメントは、貫通開口部を少なくとも部分的に閉じ、リザーバがハウジングから除去されるかまたはハウジングの中に取り付けられることを防止する。
【００３３】
本発明の１つの実施形態によれば、リザーバは、それが第１のアームに対して並進して移動することができるように取り付けられている。
【００３４】
本発明の１つの実施形態によれば、リザーバは、それが第１のアームの延在の方向に実質的に平行の変位方向にしたがって第１のアームに対して移動することができるように取り付けられている。
【００３５】
本発明の１つの実施形態によれば、ヘアスタイリングアプライアンスは、少なくとも１つのリターンエレメントを含み、少なくとも１つのリターンエレメントは、リザーバをレスト位置へ戻すように構成されている。
【００３６】
本発明の１つの実施形態によれば、気化デバイスは、気化チャンバを含み、リザーバが気化位置にあるときに、流体コンベヤエレメントが、気化チャンバの中に少なくとも部分的に配置されている。
【００３７】
有利には、気化表面は、気化チャンバの境界を少なくとも部分的に定めている。
【００３８】
本発明の１つの実施形態によれば、気化デバイスは、加熱エレメントを含む。加熱エレメントは、たとえば、抵抗エレメントであってもよい。
【００３９】
本発明の１つの実施形態によれば、第１および第２のアームのうちの少なくとも１つは、加熱プレートを含み、加熱プレートは、たとえば、実質的に平坦になっていることが可能である。
【００４０】
本発明の１つの実施形態によれば、第１および第２のアームは、それぞれ、第１の加熱プレートおよび第２の加熱プレートを含む。次いで、第１および第２の加熱プレートは、有利には、第１および第２の接触表面を画定している。
【００４１】
本発明の１つの実施形態によれば、リザーバは、細長くなっており、気化デバイス側に位置している第１の末端部分と、第１の末端部分の反対側にある第２の末端部分とを含み、作動エレメントは、リザーバの第２の末端部分と協働するように構成されている。
【００４２】
本発明の１つの実施形態によれば、リザーバは、１つの延在方向に沿って全体的に延在している。
【００４３】
本発明の１つの実施形態によれば、リザーバは、リザーバ部分および保持部分を含み、リザーバ部分は、気化されることになる流体を含むことが意図されており、保持部分は、リザーバ部分に固定されている、保持部分は、流体コンベヤエレメントを保持するように構成されている。保持部分は、たとえば、リザーバ部分の上にねじ込むことによって固定され得る。
【００４４】
本発明の１つの実施形態によれば、保持部分は、出口開口部の境界を定めている。
【００４５】
本発明の１つの実施形態によれば、ヘアスタイリングアプライアンスは、蒸気拡散デバイスをさらに含み、蒸気拡散デバイスは、気化デバイスによって作り出される蒸気を、ヘアスタイリングアプライアンスの外部に向けて拡散させるように構成されている。また、蒸気拡散デバイスは、気化デバイスによって作り出される蒸気を、第１の接触表面の近くに拡散させるように構成され得る。「第１の接触表面の近くに」は、とりわけ、第１の接触表面に隣接して、または、第１の接触表面のレベルにおいて、ことを意味するように理解される。
【００４６】
本発明の１つの実施形態によれば、蒸気拡散デバイスは、第１および第２のアームが閉構成にあるときに、第２の接触表面に向けて蒸気を拡散させるように構成されている。
【００４７】
本発明の１つの実施形態によれば、蒸気拡散デバイスは、少なくとも１つの拡散開口部を含み、少なくとも１つの拡散開口部は、気化デバイスに、たとえば、気化チャンバに流体接続されており、少なくとも１つの拡散開口部は、気化デバイスによって作り出される蒸気を、ヘアスタイリングアプライアンスの外部に向けて、および、第１の接触表面の近くに拡散させるように構成されている。
【００４８】
本発明の１つの実施形態によれば、第１の接触表面は、底部を備えた溝部を含み、少なくとも１つの拡散開口部は、溝部の底部につながっている。
【００４９】
本発明の１つの実施形態によれば、蒸気拡散デバイスは、複数の拡散開口部を含む。
【００５０】
本発明の１つの実施形態によれば、拡散開口部は、溝部に沿って分配されている。
【００５１】
いずれにせよ、本発明は、非限定的な例として、このヘアスタイリングアプライアンスの実行のいくつかの形態を表す添付の概略的な図面を参照する以下の説明の支援によって理解される。
【図面の簡単な説明】
【００５２】
【図１】本発明の第１の実施形態によるヘアスタイリングアプライアンスの斜視図である。
【図２】図１のヘアスタイリングアプライアンスの縦断面図であり、ヘアスタイリングアプライアンスのアームが開構成にあることを示す図である。
【図３】図１のヘアスタイリングアプライアンスの縦断面図であり、ヘアスタイリングアプライアンスのアームが閉構成にあることを示す図である。
【図４】図１のヘアスタイリングアプライアンスの縦断面図であり、より具体的には、リザーバをレスト位置へ戻すように構成されているリターン手段を示す図である。
【図５】図３の詳細の拡大図である。
【図６】図３の詳細の拡大図である。
【図７】図１のヘアスタイリングアプライアンスの加熱プレートの斜視図である。
【図８】本発明の第２の実施形態によるヘアスタイリングアプライアンスの部分断面図である。
【図９】本発明の第３の実施形態によるヘアスタイリングアプライアンスの部分断面図である。
【発明を実施するための形態】
【００５３】
図１から図７は、本発明の第１の実施形態によるヘアスタイリングアプライアンス２を表しており、より具体的には、ヘアストレイトナーを表している。
【００５４】
ヘアスタイリングアプライアンス２は、ポータブルトリートメントユニット３を含み、ポータブルトリートメントユニット３は、有利には、電気接続ケーブル４によって給電され得る。
【００５５】
ポータブルトリートメントユニット３は、それぞれ、第１の接触表面７および第２の接触表面８を含む、第１のアーム５および第２のアーム６を含む（ジョーとも呼ばれる）。第１のアーム５および第２のアーム６は、より具体的には、枢動リンク９によって、および、開構成と閉構成との間で、互いに対して関節式に移動されるように取り付けられており、開構成では、第１の接触表面７および第２の接触表面８が、互いに離間して配置されており、一房の髪が、第１の接触表面と第２の接触表面との間に導入されることができ、閉構成では、第１の接触表面７および第２の接触表面８が、互いに近くにあり、一房の髪を挟むことができる。
【００５６】
図１から図７に表されている実施形態によれば、第１の接触表面７および第２の接触表面８は、平坦になっており、第１のアーム５および第２のアーム６は、それぞれ、第１の加熱プレート１１および第２の加熱プレート１２（より具体的には、図７に示されている）を含み、第１の加熱プレート１１および第２の加熱プレート１２は、それぞれ、第１の接触表面７および第２の接触表面８を画定している。それにもかかわらず、ヘアスタイリングアプライアンスの実施形態変形例によれば、第１のアーム５および第２のアーム６のうちの１つのみが、加熱プレートを備えることも可能であり、第１の接触表面７および第２の接触表面８のうちの少なくとも１つが、たとえば、第１の接触表面７と第２の接触表面８との間に導入された髪の房のカーリングまたはクリーピングを可能にするために、湾曲しているかまたは波状になっていることが可能である。
【００５７】
ポータブルトリートメントユニット３は、第１の加熱プレート１１および第２の加熱プレート１２を加熱するように構成されている加熱手段をさらに含む。これらの加熱手段は、それらが当業者に良く知られているので、この特許出願において詳細に説明されていない。これらの加熱手段は、たとえば、第１のアーム５の中に配置されている第１の加熱デバイス（図には表されていない）と、第２のアーム６の中に配置されている第２の加熱デバイス（図には表されていない）とを含むことが可能である。第１および第２の加熱デバイスのそれぞれは、たとえば、正温度係数サーミスタ（ＰＴＣ）を含むことが可能である。
【００５８】
また、ポータブルトリートメントユニット３は、リザーバ１３を含み、リザーバ１３は、気化されることになる流体、たとえば、水または水溶性の化粧品などを含むことが意図されている。図１から図７に表されている実施形態によれば、リザーバ１３は、細長くなっており、１つの延在方向に沿って全体的に延在している。それにもかかわらず、リザーバ１３は、本発明の文脈から逸脱することなく、異なる形態を有することが可能である。それに加えて、本発明の１つの実施形態によれば、リザーバ１３は、リザーバ部分１３．１および保持部分１３．２を含み、リザーバ部分１３．１は、気化されることになる流体を含むことが意図されており、保持部分１３．２は、リザーバ部分１３．１に固定されており、出口開口部１４の境界を定める。保持部分１３．２は、たとえば、リザーバ部分１３．１の上にねじ込むことによって固定され得る。
【００５９】
図１から図７に表されている実施形態によれば、リザーバ１３は、第１のアーム５の中に設けられているハウジング１５の中に取外し可能に取り付けられている。有利には、第１のアーム５は、貫通開口部１６およびクロージャエレメント１７を含み、貫通開口部１６は、ハウジング１５につながっており、リザーバ１３の通過を意図されており、クロージャエレメント１７、たとえば、クロージングシャッタなどは、それが開位置と閉位置との間で第１のアーム５の上で枢動することができるように取り付けられており、開位置では、クロージャエレメント１７は、貫通開口部１６を少なくとも部分的に解放し、リザーバ１３がハウジング１５から除去されるかまたはハウジング１５の中に取り付けられることを可能にし、閉位置では、クロージャエレメント１７は、貫通開口部１６を少なくとも部分的に閉じ、リザーバ１３がハウジング１５から除去されるかまたはハウジング１５の中に取り付けられることを防止する。
【００６０】
ポータブルトリートメントユニット３は、流体コンベヤエレメント１８をさらに含み、流体コンベヤエレメント１８は、リザーバ１３に固定されており、より具体的には、保持部分１３．２に固定されており、リザーバ１３の出口開口部１４を通って延在している。流体コンベヤエレメント１８は、リザーバ１３の中に含まれている流体をリザーバの外部に向けて搬送するように構成されている。図１から図７に表されている実施形態によれば、流体コンベヤエレメント１８は、吸収性材料の吸い上げ芯であり、第１の部分および第２の部分を含み、第１の部分は、リザーバ１３の中へ延在しており、リザーバ１３の中に含まれている気化されることになる流体と接触していることが意図されており、第２の部分は、リザーバ１３の外部へ延在している。流体コンベヤエレメント１８は、たとえば、不織繊維から作製され得、また、ポリエチレンテレフタレートから、ポリエチレンから、または、ポリエチレンテレフタレートおよびポリエチレンの混合物から作製され得る。それにもかかわらず、流体コンベヤエレメント１８は、任意の他の適当な材料から作製されることも可能である。
【００６１】
図６に示されているように、ポータブルトリートメントユニット３は、また、気化デバイス１９を含み、気化デバイス１９は、第１のアーム５の上に取り付けられており、蒸気を作り出すように構成されている。気化デバイス１９は、より具体的には、気化チャンバ２１を含み、リザーバ１３が気化位置にあるときに、流体コンベヤエレメント１８が、気化チャンバ２１の中に少なくとも部分的に配置されている。気化デバイス１９は、気化表面２２および加熱エレメント２３をさらに含み、気化表面２２は、気化チャンバ２１の境界を部分的に定めており、加熱エレメント２３は、気化表面２２を加熱するように構成されている。加熱エレメント２３は、たとえば、正温度係数サーミスタ（ＰＴＣ）などのような抵抗エレメントであってもよい。
【００６２】
リザーバ１３は、より具体的には、それがレスト位置（図２を参照）と気化位置（図６を参照）との間で変位方向Ｄにしたがって移動することができるように取り付けられており、レスト位置では、流体コンベヤエレメント１８が、気化表面２２から離れており、気化位置では、流体コンベヤエレメント１８が、気化表面２２の近くにあり、たとえば、気化表面２２と接触しており、気化デバイス１９は、流体コンベヤエレメント１８によって搬送される流体を気化させるように構成されている。有利には、リザーバ１３の変位方向Ｄは、第１のアーム５の延在方向に実質的に平行になっている。ポータブルトリートメントユニット３は、有利には、１つまたは複数のリターンエレメント２４（図４を参照）を含み、１つまたは複数のリターンエレメント２４は、リザーバ１３をレスト位置へ戻すように構成されていることに留意されたい。そのリターンエレメント２４またはそれぞれのリターンエレメント２４は、たとえば、ヘリカルスプリングによって形成されてもよい。
【００６３】
ポータブルトリートメントユニット３は、作動エレメント２５をさらに含み、作動エレメント２５は、第２のアーム５の上に取り付けられており、第１のアーム５および第２のアーム６が開構成から閉構成へ移動されるときに、レスト位置から気化位置へリザーバ１３を移動させるように構成されている。作動エレメント２５は、カム表面２６を含み、カム表面２６は、リザーバ１３と協働するように構成されており、より具体的には、気化デバイス１９の反対側にあるリザーバ１３の末端部分と協働するように構成されている。
【００６４】
図１から図７に表されている実施形態によれば、カム表面２６は、連続的な湾曲したプロファイルを有しており、異なる曲げ半径を有する一連のカム表面部分を含む。カム表面２６は、より具体的には、それぞれのカム表面部分が、それに先行するカム表面部分の曲げ半径よりも大きい曲げ半径を有するように構成されている。この実施形態によれば、カム表面２６は、実質的に、円形のインボリュートである。
【００６５】
それに加えて、図１から図７に表されている実施形態によれば、作動エレメント２５は、それが第１のアーム５の上で枢動軸線Ａ周りで枢動することができるように取り付けられており、ポータブルトリートメントユニット３は、圧縮スプリングまたはトーションスプリングなどのような、付勢エレメント２７をさらに含み、付勢エレメント２７は、作動エレメント２５を作動位置に向けて付勢するように構成されており、作動位置では、作動エレメント２５が、リザーバ１３に押し込み力を働かせることができる。付勢エレメント２７は、より具体的には、作動エレメント２５を回転させて付勢するように構成されており、カム表面末端２６（枢動軸線Ａの反対側にある）を第２のアーム６から分離するようになっている。
【００６６】
カム表面２６のそのような構成は、第１のアーム５および第２のアーム６が閉構成へと移動されるときに、作動エレメント２５がより一定の力をリザーバ１３に印加することを可能にし、したがって、ヘアスタイリングアプライアンス２の性能を改善する。それに加えて、流体コンベヤエレメント１８の摩耗の場合には、カム表面２６のそのような構成は、その気化位置に向けてのリザーバ１３の移動経路を増加させることを可能にし、したがって、第１のアーム５および第２のアーム６が閉構成にあるときに、気化デバイス１９によって流体コンベヤエレメント１８に加えられる圧力を長期間にわたって実質的に一定に維持する。結果として、蒸気流は、流体コンベヤエレメント１８の摩耗にもかかわらず、長期間にわたって実質的に一定に維持される。
【００６７】
それに加えて、第２のアーム６の上への作動エレメント２５のそのような取付け、および、付勢エレメント２７の存在は、とりわけ、第１のアーム５および第２のアーム６の、リザーバ１３の、流体コンベヤエレメント１８の、および、作動エレメント２５の製造公差をオフセットすることを可能にし、したがって、最適な蒸気流を保証し、したがって、ヘアスタイリングアプライアンス２の最適な性能レベルを保証する。また、これらの装備は、ユーザによって第１のアーム５および第２のアーム６に加えられる支持力に依存しないことを可能にし、したがって、第１のアーム５および第２のアーム６に対するユーザの労力にかかわらず、実質的に一定の流れを保証する。
【００６８】
ポータブルトリートメントユニット３は、気化デバイス１９に流体接続された蒸気拡散デバイス２８をさらに含み、また、第１のアーム５および第２のアーム６が閉構成にあるときに、第１の接触表面７において気化デバイス１９によって作り出された蒸気を、とりわけ、第２の接触表面８に向けて拡散させるように構成されている。
【００６９】
図１から図７に表されている実施形態によれば、第１の接触表面７は、底部３１を備えた溝部２９を含み、蒸気拡散デバイス２８は、複数の拡散開口部３２を含み、複数の拡散開口部３２は、気化チャンバ２１に流体接続されており、溝部２９の底部３１につながっている。有利には、拡散開口部３２は、溝部２９に沿って規則的に分配されている。第２の接触表面８は、有利には、閉じ込め溝部３３を含むことが可能であり、閉じ込め溝部３３は、第１のアーム５および第２のアーム６が閉構成にあるときに、溝部２９に面して提供されるように構成されており、拡散開口部３２によって拡散された蒸気を閉じ込めるようになっていることに留意されたい。
【００７０】
図８は、本発明の第２の実施形態によるヘアスタイリングアプライアンス２を表しており、それは、作動エレメント２５のカム表面２６が、第１の表面部分２６ａおよび第２の表面部分２６ｂを含み、第１の表面部分２６ａおよび第２の表面部分２６ｂは、実質的に平坦になっており、異なる傾斜を有しており、丸みを付けられた中間表面部分２６ｃが、第１の表面部分２６ａと第２の表面部分２６ｂとの間に配置されているという点において、第１の実施形態とは本質的に異なっている。
【００７１】
図９は、本発明の第３の実施形態によるヘアスタイリングアプライアンス２を表しており、それは、作動エレメント２５が第２のアーム６の上に固定して取り付けられているという点において、第２の実施形態とは本質的に異なっている。
【００７２】
言うまでもなく、本発明は、例として上記に説明されているこのヘアスタイリングアプライアンスの実行の形態のみに限定されず、それとは対照的に、それは、すべての実施形態変形例を包含する。
【図１】
2019524222.tif 000003
【図２】
2019524222.tif 000004
【図３】
2019524222.tif 000005
【図４】
2019524222.tif 000006
【図５】
2019524222.tif 000007
【図６】
2019524222.tif 000008
【図７】
2019524222.tif 000009
【図８】
2019524222.tif 000010
【図９】
2019524222.tif 000011
【国際調査報告】
2019524222.tif 000012
2019524222.tif 000013
2019524222.tif 000014
2019524222.tif 000015
2019524222.tif 000016